(57)【要約】【課題】複数箇所ネジ止めすることなく、簡単に取り付けることができ、カメラの小型化及び薄型化を実現できるファインダー取付構造を提供する。【解決手段】ファインダー光学系１を内部に収容するファインダー取付枠２が、撮影光学系を内部に収容する固定筒３の外周面に取り付けられてなるファインダー取付構造は、固定筒３の外周面に、ファインダー取付枠２の両側面を挟持する一対の取付レバー５１が設けられ、取付レバー５１及びファインダー取付枠２の両側面に、互いに嵌合可能な嵌合孔５２及び突起部２１が形成されており、ファインダー取付枠２の両側面を一対の取付レバー５１が挟持するとともに、嵌合孔５２と突起部２１とが嵌合している。【選択図】図１
2006010752.tif 000002
【特許請求の範囲】
【請求項１】
ファインダー光学系を内部に収容するファインダー取付枠が、撮影光学系を内部に収容する固定筒の外周面に取り付けられてなるファインダー取付構造であって、
前記固定筒の外周面に、前記ファインダー取付枠の両側面を挟持する一対の取付部材が設けられ、
前記取付部材及び前記ファインダー取付枠の両側面に、互いに嵌合可能な嵌合部及び被嵌合部が形成されており、
前記ファインダー取付枠の両側面を前記一対の取付部材が挟持するとともに、前記嵌合部と前記被嵌合部とが嵌合していることを特徴とするファインダー取付構造。
【請求項２】
前記取付部材は、可撓性を有する部材からなることを特徴とする請求項１に記載のファインダー取付構造。
【請求項３】
前記ファインダー取付枠は、前記嵌合部及び被嵌合部を互いに嵌合させた状態で、前記固定筒に対して上下方向に若干移動可能とされており、
前記ファインダー取付枠及び前記固定筒に、互いに固定するための止着部がそれぞれ設けられていることを特徴とする請求項１又は２に記載のファインダー取付構造。
【発明の詳細な説明】
【技術分野】
【０００１】
本発明は、ファインダー光学系を内部に収容するファインダー取付枠が、撮影光学系を内部に収容する固定筒の外周面に取り付けられてなるファインダー取付構造に関する。
【背景技術】
【０００２】
一般に、コンパクトカメラと呼ばれている小型軽量化されたカメラの中には、ズーム機構を備えたものがあり、このズーム機構を備えたコンパクトカメラでは、撮影レンズ光学系とファインダー光学系とが別の系として構成されているので、両光学系をともにズーム化する必要がある。
このファインダー光学系としては、虚像式あるいは実像式のものが知られている。このうち虚像式の場合は、レンズが大きくなってカメラ全体の大型化を招くことから、レンズを小さくでき、コンパクトカメラの小型化を一層図れる実像式のものが採用されている。
このようなファインダー光学系は、対物レンズ、ズーム系前群レンズ、ズーム系後群レンズ、プリズム、接眼レンズ等からなり、これらが基体ハウジングと上ハウジングとから形成されるファインダー遮蔽空間に配置されて、ファインダーユニットが構成されている。そして、ファインダーユニットは、その基体ハウジングの前面及び後面にそれぞれ設けられた可撓支持部を、各種撮影機構が組み込まれているカメラ本体に数箇所ネジ止めにより取り付けられている（例えば、特許文献１参照）。
【特許文献１】特開平７−２１８９８６号公報
【発明の開示】
【発明が解決しようとする課題】
【０００３】
しかしながら、上記特許文献１に記載のカメラにおいて、ファインダー光学系が組み込まれた基体ハウジングをカメラ本体に取り付ける場合に、複数箇所でネジ止めしているため、カメラの小型化や薄型化が進む現状においてカメラ本体に数箇所のネジ孔等を設けることが困難となってきており、カメラが大型化してしまうという問題がある。
本発明は、上記事情に鑑みてなされたもので、複数箇所ネジ止めすることなく、簡単に取り付けることができ、カメラの小型化及び薄型化を実現できるファインダー取付構造を提供することを目的としている。
【課題を解決するための手段】
【０００４】
上記課題を解決するため、請求項１の発明は、例えば、図１に示すように、ファインダー光学系１を内部に収容するファインダー取付枠２が、撮影光学系を内部に収容する固定筒３の外周面に取り付けられてなるファインダー取付構造であって、
前記固定筒の外周面に、前記ファインダー取付枠の両側面を挟持する一対の取付部材（例えば、取付レバー５１）が設けられ、
前記取付部材及び前記ファインダー取付枠の両側面に、互いに嵌合可能な嵌合部（例えば、嵌合孔５２）及び被嵌合部（例えば、突起部２１）が形成されており、
前記ファインダー取付枠の両側面を前記一対の取付部材が挟持するとともに、前記嵌合部と前記被嵌合部とが嵌合していることを特徴とする。
【０００５】
請求項１の発明によれば、固定筒の外周面に設けられた一対の取付部材間にファインダー取付枠が配置され、ファインダー取付枠の両側面が取付部材により挟持されるとともに、嵌合部と被嵌合部とが互いに嵌合されているので、従来のようにカメラ本体にファインダー光学系を取り付けるために複数箇所ネジ止めすることなく、簡単に取り付けることができる。しかも、ネジ止めのための機構を備える必要もなく、カメラの小型化及び薄型化を実現することができる。
【０００６】
請求項２の発明は、例えば、図１に示すように、請求項１に記載のファインダー取付構造において、
前記取付部材は、可撓性を有する部材からなることを特徴とする。
【０００７】
請求項２の発明によれば、取付部材は可撓性を有する部材からなるので、取付部材を外側に押し広げることができ、よって、ファインダー取付枠の両側面を容易に挟持でき、ファインダー取付枠の両側面と取付部材との間に隙間が生じることなく強固に固定することができる。
【０００８】
請求項３の発明は、例えば、図１に示すように、請求項１又は２に記載のファインダー取付構造において、
前記ファインダー取付枠は、前記嵌合部及び被嵌合部を互いに嵌合させた状態で、前記固定筒に対して上下方向に若干移動可能とされており、
前記ファインダー取付枠及び前記固定筒に、互いに固定するための止着部（例えば、ネジ部２３、５３）がそれぞれ設けられていることを特徴とする。
【０００９】
請求項３の発明によれば、嵌合部及び被嵌合部を互いに嵌合させた状態で、ファインダー取付枠を固定筒に対して上下方向に若干移動させ、所定の位置においてファインダー取付枠及び固定筒の各止着部により固定することによって、ファインダー取付枠の傾きを補正でき、ファインダー光学系と撮影光学系との間に生じるパララックスを補正することができる。しかも、ファインダー取付枠とともにファインダー光学系を固定筒に強固に取り付けることができる。
【発明の効果】
【００１０】
本発明に係るファインダー取付構造によれば、固定筒の外周面に設けられた一対の取付部材によってファインダ取付枠の両側面が挟持されるとともに、嵌合部と被嵌合部とが互いに嵌合されているので、複数箇所ネジ止めすることなく、簡単にファインダー取付枠とともにファインダー光学系を固定筒に取り付けることができる。また、ネジ止めしないことからカメラの小型化及び薄型化を実現することができる。
【発明を実施するための最良の形態】
【００１１】
以下、本発明の第１及び第２の実施の形態について図面を参照しながら説明する。
［第１の実施の形態］
図１は、本発明の第１の実施の形態におけるファインダー取付構造の分解斜視図である。
図１に示すように、ファインダー光学系１を内部に収容するファインダー取付枠２が、撮影光学系（図示略）を内部に収容する固定筒３の外周面に取り付けられている。
ファインダー光学系１は、第１レンズ群１１、第２レンズ群１２、第３レンズ群１３からなる対物レンズ群１０と、第１直角プリズム１４と、第２直角プリズム１５と、接眼レンズ１６とを備えている。ファインダー光学系１は、対物レンズ群１０から入射した被写体像が第１直角プリズム１４及び第２直角プリズム１５を介して接眼レンズ１６から出射し、撮影者が被写体像を確認できるようになっている。
また、ファインダー光学系１は、ポリカーボネート等の合成樹脂製のファインダー取付枠２と、ファインダーカバー４とから形成されるファインダー遮蔽空間に、各部材１０、１４、１５、１６が光軸上に位置するように配置されている。
【００１２】
対物レンズ群１０を構成する第１レンズ群１１は、ファインダー取付枠２の前部に形成された縦溝２a内に挿入されて固定されている。
第２レンズ群１２及び第３レンズ群１３は、それぞれレンズ枠（図示略）に支持され、各レンズ枠はファインダー取付枠２内に設けられた案内レール１０a（図２参照）にレンズ駆動手段（図示略）により摺動自在に設けられている。レンズ駆動手段としては、例えば、駆動モータや駆動ギア等の構成からなるものが挙げられる。
第１直角プリズム１４及び第２直角プリズム１５は、ファインダー取付枠２に周知の固定手段によって固定されており、さらに接眼レンズ１６は、ファインダー取付枠２の後部に形成された縦溝内に挿入されて固定されている。
【００１３】
上述のようにファインダー光学系１が収容されたファインダー取付枠２の両側面には、後述する固定筒３に設けられた取付レバー（取付部材）５１の嵌合孔（嵌合部）５２に嵌合するピン形状をなした一対の突起部（被嵌合部）２１が形成されている。また、両側面には、後述するファインダーカバー４の係合部４１の長孔４２に係合する一対の係合突起２２が前後にそれぞれ形成されている。係合突起２２は、長孔４２に係合し易く外れにくいように爪状をなしている。
さらに、ファインダー取付枠２の後部、すなわち、係合突起２２の後側には、ネジ（図示略）が挿通されるネジ部２３が形成されており、後述する固定筒取付枠５に設けられたネジ部５３と一対となっている。すなわち、ファインダー取付枠２のネジ部２３及び固定筒取付枠５のネジ部５３にワッシャ（図示略）を介してネジが挿通されて止着されることによって、ファインダー取付枠２が固定筒取付枠５に固定されるとともに固定筒３に取り付けられる。
【００１４】
ファインダーカバー４は、ファインダー取付枠２の上面に設けられてファインダー光学系１を覆うとともに、ファインダー取付枠２の両側面に取り付けられている。すなわち、ファインダーカバー４の両側面にそれぞれファインダー取付枠２の係合突起２２に係合する長孔４２を有する一対の係合部４１が前後に設けられており、これら係合部４１の長孔４２にそれぞれ係合突起２２が係合している。
【００１５】
一方、固定筒３は、図示しないがその内部に光軸上に配置された複数の撮影レンズ（図示略）を保持する鏡筒レンズ（図示略）を収容している。そして、固定筒３の外周面のうち、上部にファインダー取付枠２を固定筒３に取り付けるための固定筒取付枠５が設けられている。
固定筒取付枠５は、ファインダー取付枠２を収容可能となっており、その両側面には、上方に突出するとともにファインダー取付枠２を両側面から挟持する一対の取付レバー５１が設けられている。
取付レバー５１は、略矩形板状で可撓性を有する材料から形成されている。
また、取付レバー５１の上端部にファインダー取付枠２の突起部２１が嵌合する円形状の嵌合孔５２が形成されている。この嵌合孔５２は、突起部２１が嵌合された状態において、突起部２１を中心としてファインダー取付枠２が上下方向に若干移動可能に形成されている。
また、固定筒取付枠５の後部には、ファインダー取付枠２のネジ部２３に対応してネジ部５３が設けられている。
【００１６】
次に、ファインダー光学系１を固定筒３の外周面に取り付ける手順について図１を参照して説明する。
まず、固定筒取付枠５の一対の取付レバー５１を外側に押し広げた状態で、突起部２１を嵌合孔５２に嵌合させてファインダー取付枠２を固定筒取付枠５内に収容する。これによって、ファインダー取付枠２の両側面が一対の取付レバー５１に挟持される。
さらに、突起部２１を中心として嵌合孔５２に対して上下方向に移動させて所定の位置に調整した後、ファインダー取付枠２のネジ部２３及び固定筒取付枠５のネジ部５３にワッシャを介してネジを挿通し止着することによって、固定筒３に対する上下方向の位置決めを行う。これによって、撮影光学系とファインダー光学系１との間に生じるパララックスを補正することができる。
最後に、固定筒取付枠５に取り付けられたファインダー取付枠２に対して、その上面を覆うようにファインダーカバー４を配置し、係合部４１の長孔４２に係合突起２２を係合させることによってファインダーカバー４をファインダー取付枠２に取り付ける。
【００１７】
［第２の実施の形態］
図２は、本発明の第２の実施の形態におけるファインダー取付構造の右側から見た場合の斜視図、図３は、左側から見た場合の斜視図である。
本発明の第２の実施の形態におけるファインダー取付構造は、ファインダー取付枠２を挟持する手段が第１の実施の形態と異なっており、同様の構成部分については同様の符号を付してその説明を省略する。
すなわち、図２及び図３に示すように、固定筒取付枠５の一方の側面には、第１の実施の形態と同様の取付レバー５１が設けられ、他方の側面には、平断面視略Ｕ字型の取付部材５４が設けられている。取付部材５４は、その凹部内にファインダー取付枠２の突起部２１が嵌め込まれるようになっている。また、取付部材５４の底部には、ファインダー取付枠２の突起部２１の下側に設けられたネジ部２４に対応してネジ止め可能なネジ部（図示略）が形成されている。
したがって、第１の実施の形態のように固定筒取付枠５の両側面にそれぞれ取付レバー５１を設けて、ファインダー取付枠２を挟持する場合に比して、ファインダー取付枠２を固定筒取付枠５に強固に取り付けることができる。
また、第１の実施の形態と同様に、突起部２１を中心に上下方向に調整して所定位置でファインダー取付枠２のネジ部２３及び固定筒取付枠５のネジ部５３にワッシャを介してネジを挿通させて止着させることにより、パララックス補正が可能とされている。
【００１８】
以上、本発明の実施の形態に係るファインダー取付構造によれば、固定筒取付枠５の外周面に設けられた一対の取付レバー５１によってファインダー取付枠２の両側面が挟持されるとともに、取付レバー５１の嵌合孔５２内に突起部２１がそれぞれ嵌合されているので、従来のように複数箇所ネジ止めするといった手間を省いて簡単にファインダー取付枠２とともにファインダー光学系１を固定筒３に取り付けることができる。さらに、ネジ止めのための機構を設ける必要がないことからカメラの小型化及び薄型化も実現できる。
また、取付レバー５１は可撓性を有する部材からなるので、ファインダー取付枠２の両側面を容易に挟持でき、強固に固定することができる。
さらに、嵌合孔５２に突起部２１を嵌合させた状態で、突起部２１を上下方向に若干移動させて所定位置に調整した後に、ファインダー取付枠２のネジ部２３及び固定筒取付枠５のネジ部５３をワッシャを介してネジにより止着することによって、パララックスを補正することができ、また、強固に取り付けることができる。
【００１９】
なお、本発明は上記実施の形態に限定されるものではなく、その要旨を逸脱しない範囲で適宜変更可能である。
例えば、上記実施の形態では、ファインダー取付枠２に形成された突起部２１を固定筒取付枠５の取付レバー５１に形成された嵌合孔５２内に嵌合させる構成としたが、反対に、取付レバー５１に突起部２１を設けて、ファインダー取付枠２に嵌合孔５２を形成し、これらを互いに嵌合させる構成としても構わない。
【図面の簡単な説明】
【００２０】
【図１】本発明の第１の実施の形態を示すためのもので、ファインダー取付構造の分解斜視図である。
【図２】本発明の第２の実施の形態を示すためのもので、ファインダー取付構造の斜視図である。
【図３】同、ファインダー取付構造の斜視図である。
【符号の説明】
【００２１】
１  ファインダー光学系
２  ファインダー取付枠
３  固定筒
２１  突起部（被嵌合部）
２３、５３  ネジ部（止着部）
５１  取付レバー（取付部材）
５２  嵌合孔（嵌合部）
【図１】
2006010752.tif 000003
【図２】
2006010752.tif 000004
【図３】
2006010752.tif 000005